【手続補正書】
【提出日】令和2年9月18日(2020.9.18)
【手続補正１】
【補正対象書類名】明細書
【補正対象項目名】００４４
【補正方法】変更
【補正の内容】
【００４４】
ある特定の実施形態では、検体は単一の検体である。
本発明は、例えば、以下の項目を提供する。
（項目１）
検体に対する結合性部分に会合した複数のヤヌス液滴を含む系であって、
前記結合性部分および前記検体が、前記検体が前記結合性部分と結合した時、前記複数のヤヌス液滴と相互作用する電磁放射線を検出可能な様式で変化させるのに十分な程度に、前記複数のヤヌス液滴の少なくとも一部分の配向が変化するように選択される、系。
（項目２）
検体に対する複数の結合性部分に会合した複数のヤヌス液滴；および
前記複数のヤヌス液滴に対して位置決めされた検出器
含む系であって、
十分な数の前記結合性部分が検体と結合した時、前記ヤヌス液滴と相互作用する電磁放射線を前記検出器により決定可能な様式で変化させるのに十分な程度に、前記複数のヤヌス液滴の少なくとも一部分の配向が変化する、系。
（項目３）
前記複数のヤヌス液滴の少なくとも一部分が、前記結合性部分と結合すると、凝集する、前記項目のいずれかに記載の系。
（項目４）
前記結合性部分との結合前に、前記複数のヤヌス液滴が、各ヤヌス液滴内の第１の相と第２の相との間の界面の少なくとも一部分が互いに平行に整列するように配向されている、前記項目のいずれかに記載の系。
（項目５）
前記検体の前記結合性部分との結合前に、前記複数のヤヌス液滴が表面に結合している、前記項目のいずれかに記載の系。
（項目６）
前記複数のヤヌス液滴の少なくとも一部分が、前記検体の前記結合性部分と結合すると、前記表面から解放される、項目５に記載の系。
（項目７）
検体を、複数のヤヌス液滴に会合した結合性部分と結合させるステップ；および
前記検体の前記結合性部分との結合に少なくとも一部起因する、前記複数のヤヌス液滴と相互作用する電磁放射線の変化を決定するステップ
を含む、方法。
（項目８）
検体を決定するための方法であって、
外相、および前記外相内に分散した複数のヤヌス液滴を含む物品に、化学的検体または生物学的検体を曝露させるステップであって、前記化学的検体または前記生物学的検体が、存在する場合、前記物品の少なくとも一部分と相互作用し、その結果、前記複数のヤヌス液滴の少なくとも一部分が配向を変化させ、それにより、前記物品の光学的性質の検出可能な変化を生じる、ステップ；ならびに
前記検出可能な変化を決定するステップ
を含む、方法。
（項目９）
物品の光透過を変化させるための方法であって、
外相、および前記外相内に分散した複数のヤヌス液滴を含む物品に、化学的検体または生物学的検体を曝露させるステップであって、前記化学的検体または前記生物学的検体が、存在する場合、前記物品の少なくとも一部分と相互作用し、その結果、前記複数のヤヌス液滴の少なくとも一部分が配向を変化させ、それにより、前記物品の光透過を変化させる、ステップ
を含む、方法。
（項目１０）
前記複数のヤヌス液滴が、少なくとも１つの結合性部分を含む１つまたは複数の両親媒性化合物を含む、前記項目のいずれかに記載の方法。
（項目１１）
前記物品の少なくとも一部分と相互作用することが、前記化学的検体または前記生物学的検体の前記少なくとも１つの結合性部分との結合を含む、項目１０に記載の方法。
（項目１２）
前記物品を化学的検体または生物学的検体へ曝露させる前に、前記複数のヤヌス液滴の少なくとも一部分が、各ヤヌス液滴内の第１の相と第２の相との間の界面の少なくとも一部分が互いに平行に整列するように配向されている、前記項目のいずれかに記載の方法。
（項目１３）
各ヤヌス液滴内の第１の相と第２の相との間の前記界面の実質的に全部が、互いに平行に整列している、項目１２に記載の方法。
（項目１４）
前記物品を化学的検体または生物学的検体に曝露させることにより、前記複数のヤヌス液滴の少なくとも一部分が凝集する、前記項目のいずれかに記載の方法。
（項目１５）
前記物品を化学的検体または生物学的検体に曝露させることにより、前記複数のヤヌス液滴の少なくとも一部分が、各ヤヌス液滴内の第１の相と第２の相との間の界面の少なくとも一部分が互いに平行には整列していないように、配向される、前記項目のいずれかに記載の方法。
（項目１６）
前記複数のヤヌス液滴の少なくとも一部分が、前記結合性部分を介して、前記物品の表面と結合している、項目１０に記載の方法。
（項目１７）
前記物品を化学的検体または生物学的検体に曝露させることにより、前記複数のヤヌス液滴の少なくとも一部分が前記表面から解放される、項目１６に記載の方法。
（項目１８）
外相；および
前記外相内に分散した複数のヤヌス液滴
を含む物品であって、前記複数のヤヌス液滴の少なくとも一部分が、少なくとも１つの結合性部分を含む両親媒性化合物を含む、物品。
（項目１９）
前記複数のヤヌス液滴が、各ヤヌス液滴内の第１の相と第２の相との間の界面の少なくとも一部分が互いに平行に整列するように配向されている、項目１８に記載の物品。
（項目２０）
前記少なくとも１つの結合性部分が、化学的検体または生物学的検体に結合する能力がある、前記項目のいずれかに記載の物品。
（項目２１）
前記少なくとも１つの結合性部分の化学的検体または生物学的検体との結合により、前記複数のヤヌス液滴の少なくとも一部分が配向を変化させる、前記項目のいずれかに記載の物品。
（項目２２）
前記複数のヤヌス液滴が、電磁放射線に対して実質的に透過性である、前記項目のいずれかに記載の物品。
（項目２３）
前記少なくとも１つの結合性部分の化学的検体または生物学的検体との結合により、前記複数のヤヌス液滴の光透過が減少する、前記項目のいずれかに記載の物品。
（項目２４）
表面；
前記表面の少なくとも一部分上に置かれた外相；および
前記外相内に分散した複数のヤヌス液滴
を含む物品であって、前記複数のヤヌス液滴の少なくとも一部分が、少なくとも１つの結合性部分を含む両親媒性化合物を含み、かつ前記複数のヤヌス液滴の少なくとも一部分が、前記結合性部分を介して前記表面に結合している、物品。
（項目２５）
前記複数のヤヌス液滴の少なくとも一部分が、各ヤヌス液滴内の第１の相と第２の相との間の界面が前記表面と平行には整列していないように、配向されている、項目２４に記載の物品。
（項目２６）
前記複数のヤヌス液滴の生物学的検体または化学的検体への曝露により、ヤヌス液滴の少なくとも一部分が前記表面から解放される、項目２４〜２５のいずれか一項に記載の物品。
（項目２７）
前記複数のヤヌス液滴の生物学的検体または化学的検体への曝露により、ヤヌス液滴の少なくとも一部分が配向を変化させる、項目２４〜２６のいずれか一項に記載の物品。
（項目２８）
前記複数のヤヌス液滴の前記生物学的検体または前記化学的検体への曝露後、前記物品が、実質的に可視光透過性である、項目２６に記載の物品。
（項目２９）
前記複数のヤヌス液滴の化学的検体または生物学的検体への曝露により、前記複数のヤヌス液滴の光透過が増加する、項目２４〜２８のいずれか一項に記載の物品。
（項目３０）
前記項目のいずれかに記載の物品；
決定可能なシグナルを発生させるための、組成物に適用可能な外部エネルギーの供給源；および
前記シグナルを検出するように位置決めされた検出器
を含む系。
（項目３１）
前記シグナルが電磁放射線を含む、項目３０に記載の系。
（項目３２）
前記物品の化学的検体または生物学的検体への曝露により、前記系が前記決定可能なシグナルを発生する、項目３０〜３１のいずれか一項に記載の系。
（項目３３）
各ヤヌス液滴が、第１の相、および前記第１の相と不混和性の第２の相を含む、前記項目のいずれかに記載の物品、系、または方法。
（項目３４）
前記外相が水相である、前記項目のいずれかに記載の物品、系、または方法。
（項目３５）
前記第１の相が、炭化水素、フルオロカーボン、シリコーン、液晶、イオン性の液体、ポリマー、それらの組み合わせ、またはそれらの誘導体を含む、前記項目のいずれかに記載の物品、系、または方法。
（項目３６）
前記第２の相が、前記第１の相と不混和性の、炭化水素、フルオロカーボン、シリコーン、液晶、イオン性の液体、ポリマー、それらの組み合わせ、またはそれらの誘導体を含む、前記項目のいずれかに記載の物品、系、または方法。
（項目３７）
前記両親媒性化合物が、イオン性界面活性剤、非イオン性界面活性剤、両性イオン性界面活性剤、ポリマー、タンパク質、ＤＮＡ、ＲＮＡ、酸、炭水化物、サッカライド、酵素、発色団、脂質、酸化グラフェン、それらの組み合わせ、およびそれらの誘導体からなる群より選択される、前記項目のいずれかに記載の物品、系、または方法。
（項目３８）
前記外相と前記複数のヤヌス液滴との間の界面が前記両親媒性化合物を含む、前記項目のいずれかに記載の物品、系、または方法。
（項目３９）
前記検体が、生物学的化合物、薬物、高分子、塩、電解質、酵素、酸、核酸、炭水化物、ペプチド、タンパク質、ホスフェート、スルホネート、ウイルス、病原体、酸化剤、還元剤、毒素、化学兵器剤、爆発物、二酸化炭素、またはそれらの組み合わせを含む、前記項目のいずれかに記載の物品、系、または方法。
（項目４０）
前記検体が単一の検体である、前記項目のいずれかに記載の物品、系、または方法。
【手続補正２】
【補正対象書類名】明細書
【補正対象項目名】００７５
【補正方法】変更
【補正の内容】
【００７５】
ある特定の実施形態では、ヤヌス液滴に会合した結合性部分は、検体に結合し得、その結果、ヤヌス液滴は凝集する。例えば、再び図１Ｃを参照すると、検体への曝露により、検体は、２つまたはそれより多いヤヌス液滴上の結合性部分と結合し得る（例えば、ヤヌス液滴１２０とヤヌス液滴１２２との間など、２つまたはそれより多いヤヌス液滴間で結合した複合体１６０を形成する）。
【手続補正３】
【補正対象書類名】図面
【補正対象項目名】図１Ｃ
【補正方法】変更
【補正の内容】
【図１Ｃ】
2019533148.tif 000001